(57)【特許請求の範囲】
【請求項１】
同一面側に往信用宛名情報表示部と返信用宛名情報表示部とを設けた葉書片に、切り取り部を介して補助片を設けてなり、窓あき封筒内に収納したときに、前記往信用宛名情報表示部に表示した往信用宛名情報が前記窓あき封筒の窓部に対応して視認可能となる一方、前記返信用宛名情報表示部に表示した返信用宛名情報は視認不能となることを特徴とする窓あき封筒用葉書。
【請求項２】
返信用宛名情報表示部には、返信用宛名情報に応じた配達先仕分け用の機械読み取りコードを設ける一方、補助片の前記返信用宛名情報表示部と同一面側には、往信用宛名情報に応じた配達先仕分け用の機械読み取りコードを設け、窓あき封筒内に収納したときに、前記往信用宛名情報に応じた配達先仕分け用の機械読み取りコードは前記窓あき封筒の窓部に対応して視認可能となり、前記返信用宛名情報に応じた配達先仕分け用の機械読み取りコードは視認不能となるように構成したことを特徴とする請求項１記載の窓あき封筒用葉書。
【発明の詳細な説明】
【０００１】
【発明の属する技術分野】
本発明は、往信時には窓あき封筒に収納して郵送し、返信時には窓あき封筒から取り出して葉書として使用する窓あき封筒用葉書に関する。
【０００２】
【従来の技術】
従来から、この種の窓あき封筒用葉書は知られているが、従来の葉書は、往信用宛名情報表示部と返信用宛名情報表示部とを、互いに反対面側に設けている。
【０００３】
【発明が解決しようとする課題】
このため、往信時に窓あき封筒に収納する場合に、往信用宛名情報表示部が封筒の窓部に対応するよう葉書表裏面を確認する必要があるとともに、返信時にも、返信用宛名情報か往信用宛名情報かを確認するために、表裏面を反転しなければならず、煩わしいものであった。また、前記返信用宛名情報と前記往信用宛名情報は、互いに反対面側に表示するので、宛名印字作業あるいは宛名印刷作業も両面に行わなければならず作業が繁雑であるとともに、効率も劣るものであった。本発明は、このような問題点を解消した窓あき封筒用葉書を提供することを目的とする。
【０００４】
【課題を解決するための手段】
この目的を達成するために本願の請求項１に記載した窓あき封筒用葉書は、同一面側に往信用宛名情報表示部と返信用宛名情報表示部とを設けた葉書片に、切り取り部を介して補助片を設けてなり、窓あき封筒内に収納したときに、前記往信用宛名情報表示部に表示した往信用宛名情報が前記窓あき封筒の窓部に対応して視認可能となる一方、前記返信用宛名情報表示部に表示した返信用宛名情報は視認不能となるように構成したものである。
【０００５】
また、同じくこの目的を達成するために本願の請求項２に記載した窓あき封筒用葉書は、上述した請求項１記載の構成において、返信用宛名情報表示部には、返信用宛名情報に応じた配達先仕分け用の機械読み取りコードを設ける一方、補助片の前記返信用宛名情報表示部と同一面側には、往信用宛名情報に応じた配達先仕分け用の機械読み取りコードを設け、この往信用宛名情報に応じた配達先仕分け用の機械読み取りコードは窓あき封筒の窓部に対応して視認可能となり、前記返信用宛名情報に応じた配達先仕分け用の機械読み取りコードは視認不能となるように構成したものである。
【０００６】
【発明の実施の形態】
以下、本発明の好適な実施形態を添付図面の図１〜図４に基づいて詳細に説明する。ここにおいて、図１は葉書の表面側を示す平面図、図２は同じく裏面側の平面図、図３は窓あき封筒に葉書を収納した状態を示す平面図、図４は返信時の葉書片の表面側を示す平面図である。
【０００７】
図１及び図２に示すように、窓あき封筒に収納する葉書１は、葉書片２とこの葉書片２に切り取り部たる切り用ミシン目３を介して連接した補助片４とからなる。前記葉書片２の表面側は、区画線５で上下に二分して、その下部には往信用宛名情報表示部６を設け、その上部には返信用宛名情報表示部７を設けている。そして、前記葉書１は、前記切り用ミシン目３と前記区画線５によって、上下にほぼ三等分された状態にある。
【０００８】
図１に示すように、葉書片２の往信用宛名情報表示部６には往信用宛名情報８を印字する一方、返信用宛名情報表示部７には返信用宛名情報９を印刷あるいは印字するとともに、この返信用宛名情報９の下に返信用宛名情報９の住所に応じた配達先仕分け用の機械読み取りコードである返信先仕分け用バーコード１０を設けている。
【０００９】
同じく図１に示すように、補助片４の表面側には、切り用ミシン目３に沿って往信用宛名情報８の住所に応じた配達先仕分け用の機械読み取りコードである往信先仕分け用バーコード１１を設けている。この往信先仕分け用バーコード１１の下には、スリット１２によりカード１３を区画形成している。図２に示すように、前記補助片４の裏面側には、透明な樹脂シート１４を接着し、前記カード１３は、この樹脂シート１４に剥離可能に接着している。そして、前記カード１３には、裏面側に案内情報１５を表示する一方、表面側にはカード名１６と会員番号１７及び会員名１８を表示している。
【００１０】
また、図２に示すように、葉書片２の裏面側には、住所や電話番号の変更を通知するための変更届欄１９を上部に設け、知人を紹介する紹介者記入欄２０を下部に設けている。
【００１１】
図３に示すように、上述した葉書１を収納する窓あき封筒２１は、透明な樹脂フィルムからなる縦長な封筒であり、表面側の上部ほぼ３分の１に濃色の色彩を施して透視不能な不透明部２３を形成する一方、残りの表面側のほぼ３分の２を透明状態のまま透視可能として窓部２２としている。この窓あき封筒２１は、樹脂フィルムを筒状にして裏面側の中央部分で重ね合わせ、重ね合わせ端を熱圧着などにより接着し、この扁平な筒状内に葉書１を収納したうえ、上下両端を熱圧着などにより接着して封着するものである。
【００１２】
そして、上述した葉書１は、図３に示すように、窓あき封筒２１内に収納すると、往信用宛名情報表示部６と補助片４が前記窓あき封筒２１の窓部２２に対応する一方、返信用宛名情報表示部７が前記窓あき封筒２１の不透明部２３に対応し、返信用宛名情報９及び返信先仕分け用バーコード１０が視認不能となり、往信用宛名情報８、往信先仕分け用バーコード１１、カード名１６、会員番号１７及び会員名１８が視認可能となるように、収納する窓あき封筒２１の構成に対応している。なお、図示していないが、前記窓あき封筒２１の裏面側は全面的に透視可能となっている。
【００１３】
続いて、上述した葉書１の使用方法を説明する。まず、返信先となる葉書１の差し出し元で、葉書１に必要な情報を印字したうえ、窓あき封筒２１内への収納、封緘作業を行い、図３状態とした窓あき封筒２１を投函する。葉書１の収納作業にあたっては、葉書片２の同一面側に往信用と返信用の宛名情報８，９が表示されているので、この表示面側を窓部２２と対応するように収納すればよく、簡便である。
【００１４】
郵便局では、窓あき封筒２１の窓部２２に対応する往信用宛名情報８の郵便番号と往信先仕分け用バーコード１１を読み取って、仕分けし、通常の郵便配達作業と同様にして、往信用宛名情報８の宛先に届ける。ここで、返信用宛名情報９と返信先仕分け用バーコード１０は、不透明部２３に対応して視認不能なので、読み取り作業時に往信用と返信用の宛名情報８，９及び仕分け用バーコード１０，１１を取り違える虞はない。
【００１５】
一方、この窓あき封筒２１を受け取った宛名人は、これを開封して葉書１を取り出し、カード１３を補助片４から分離したうえ、変更事項があったり、紹介する者がいる場合には、所定事項を変更届欄１９あるいは紹介者記入欄２０に記入し、切り用ミシン目３を破断して補助片４を切り離し、図４図示状態とした葉書片２を投函する。
【００１６】
郵便局では、返信用宛名情報９の郵便番号と返信先仕分け用バーコード１０を読み取って、仕分けし、返信用宛名情報９の宛先に届ける。ここで、往信先仕分け用バーコード１１は存在しないので、読み取り作業時に往信用と返信用の仕分け用バーコード１０，１１を取り違える虞はない。
【００１７】
なお、本発明は上述した各実施形態に限定されるものではなく、例えば、葉書１を収納する窓あき封筒２１は上述した構成に限らず、紙製の縦長で三辺を封着するとともに一辺を開口し、封筒表面の一部を切り欠いたうえ、切り欠き部分より一回り大きな透明フィルムを、内部側に貼付して窓部を構成したものでもよい。また、葉書１の構成も上述のものに限らず、葉書片２に変更届欄１９や紹介者記入欄２０に換えて、別の連絡事項欄を設けたり、補助片４にカード１３を設けず、案内文を表示したり、往信先仕分け用コード１１のみを設けてもよい。さらには、往信先仕分け用コード１１と返信先仕分け用コード１０は、必ずしも設ける必要はない。
【００１８】
【発明の効果】
以上説明したところで明らかなように、本発明の請求項１に記載した窓あき封筒用葉書によれば、同一面側に往信用宛名情報表示部と返信用宛名情報表示部とを設けた葉書片に、切り取り部を介して補助片を設け、窓あき封筒内に収納したときに、前記往信用宛名情報表示部に表示した往信用宛名情報が前記窓あき封筒の窓部に対応して視認可能になる一方、前記返信用宛名情報表示部に表示した返信用宛名情報は視認不能になるよう構成したので、葉書を窓あき封筒内に収納するときに、葉書の表裏面を確認する必要がなく簡便であるとともに、返信時にもこの確認が不要であり、また、往信用宛名情報と返信用宛名情報を読み取り間違いする虞がないほか、往信用宛名情報と返信用宛名情報を容易に印字あるいは印刷できるという効果を奏する。
【００１９】
また、本発明の請求項２に記載した窓あき封筒用葉書によれば、上述した請求項１記載の構成において、返信用宛名情報表示部には、返信用宛名情報に応じた配達先仕分け用の機械読み取りコードを設ける一方、補助片の前記返信用宛名情報表示部と同一面側には、往信用宛名情報に応じた配達先仕分け用の機械読み取りコードを設け、この往信用宛名情報に応じた配達先仕分け用の機械読み取りコードは窓あき封筒の窓部に対応して視認可能となり、前記返信用宛名情報に応じた配達先仕分け用の機械読み取りコードは視認不能になるよう構成したので、上述した請求項１の効果に加え、往信時と返信時に各機械読み取りコードを利用してより確実な郵便配達作業をなしうるとともに、往信時には往信用の機械読み取りコードのみを視認可能であり、返信時には返信用の機械読み取りコードのみを視認可能なので、両コードを取り違えて読み取り間違いをする虞がないという効果を奏する。
【図面の簡単な説明】
【図１】葉書の表面側を示す平面図。
【図２】葉書の裏面側を示す平面図。
【図３】葉書を窓あき封筒に収納した状態を示す平面図。
【図４】返信時の葉書片の表面側を示す平面図。
【符号の説明】
１      葉書
２      葉書片
３      切り用ミシン目
４      補助片
６      往信宛名情報表示部
７      返信宛名情報表示部
８      往信宛名情報
９      返信宛名情報
１０      返信先仕分け用コード
１１      往信先仕分け用コード
２１      窓あき封筒
２２      窓
２３      不透明部
【図１】
0003807898.tif 000002
【図２】
0003807898.tif 000003
【図３】
0003807898.tif 000004
【図４】
0003807898.tif 000005